(57)【要約】      （修正有）【課題】設備を稼動したままの状態で筒状スクリーン体の清掃を可能とする。【解決手段】ストレーナ装置１０は流入口１４から流出口１６に至る内部流路の途中の異物除去部１８に筒状スクリーン体２０を配置しＷ異物を除去する。筒状スクリーン体２０には通過する液流により駆動されて前記筒状スクリーン体内面を清掃する清掃機構を設けられる。清掃機構は、筒状スクリーン体２０の内部にブラシ部材を回転自在に配置し、筒状スクリーン体２０に流入する液流により水車３２を回転し、水車３２に連結したブラシ回転させて自動清掃する。【選択図】図１
2012148211.tif 000002
【特許請求の範囲】
【請求項１】
流入口から流出口に至る内部流路の途中に設けた異物除去部に異物を除去する筒状スクリーン体を配置したストレーナ装置に於いて、
前記筒状スクリーン体に、通過する液流により駆動されて前記筒状スクリーン体内面を清掃する清掃機構を設けたことを特徴とするストレーナ装置。
【請求項２】
請求項１記載のストレーナ装置に於いて、前記清掃機構は、
前記筒状スクリーン体の内部に回転自在に配置され、ブラシ先端を筒状スクリーン体の内面に摺接したブラシ部材と、
前記筒状スクリーン体に流入する液流により前記ブラシ部材を回転させる水車と、
を備えたことを特徴とするストレーナ装置。
【請求項３】
請求項２記載の消火栓装置に於いて、前記異物除去部のスクリーン着脱口を閉鎖する蓋部材に、前記筒状スクリーン体で除去されたゴミ等の異物を溜めるゴミ溜り部を設けたことを特徴とするストレーナ装置。
【請求項４】
請求項２記載のストレーナ装置に於いて、
前記ブラシ部材の回転軸に連結されて外部から回転を視認させるインジケータを設けたことを特徴とするストレーナ装置。
【請求項５】
流入口から流出口に至る内部流路の途中に設けた異物除去部に異物を除去する筒状スクリーン体を配置したストレーナ装置に於いて、
前記筒状スクリーン体に、外部操作により駆動されて前記筒状スクリーン体内面を清掃する清掃機構を設けたことを特徴とするストレーナ装置。
【請求項６】
請求項５記載のストレーナ装置に於いて、前記清掃機構は、
前記筒状スクリーン体の内部に回転自在に配置され、ブラシ先端を筒状スクリーン体の内面に摺接したブラシ部材と、
前記ブラシ部材を外部からの操作により回転操作部と、
を備えたことを特徴とするストレーナ装置。
【請求項７】
請求項６記載のストレーナ装置に於いて、前記回転操作部は、前記ブラシ部材の回転軸を外部に延在し、軸全端に回転ハンドルを着脱するハンドル装着部を形成したことを特徴とするストレーナ装置。
【発明の詳細な説明】
【技術分野】
【０００１】
本発明は、流体を筒状スクリーンを通すことにより異物を除去するストレーナ装置に関する。
【背景技術】
【０００２】
従来、Ｙ型ストレーナとして知られた小型のストレーナ装置にあっては、相対する流入口と流出口の間にＹ型に分岐した異物除去部を形成し、異物除去部のスクリーン着脱口からスクリーンホルダに支持した筒状スクリーン体を収納し、流入口からの流体を筒状スクリーンの一端から流入してスクリーン周囲から流出口に流し、異物を除去して筒状スクリーン体の中に残すようにしている。
【０００３】
このようなストレーナ装置にあっては、筒状スクリーン体により除去した異物を取り除くための清掃作業が必要であり、スクリーンホルダを固定しているボルトを外して筒状スクリーン体を外部に取り出し、異物を除去すると共に筒状スクリーン体を清掃している。
【先行技術文献】
【特許文献】
【０００４】
【特許文献１】特開２００４−２３０３０５号公報
【発明の概要】
【発明が解決しようとする課題】
【０００５】
しかしながら、このような従来のストレーナ装置にあっては、ストレーナ装置の清掃を筒状スクリーン体の汚れ具合に応じて定期的に行っているが、流体の状況により異物の溜り具合は様々であり、必然的に定期的に行う清掃間隔を短くして対応しており、清掃のために設備を停止する必要があるため、ストレーナ装置の定期清掃に伴う作業負担が大きいという問題がある。
【０００６】
またストレーナ装置の汚れ具合が進むと流体の流れがわるくなるが、その状況は外部からは確認できず、清掃点検を行うかどうかの判断が難しいという問題もある。
【０００７】
本発明は、設備を使用したままの状態で筒状スクリーン体の自動又は手動による清掃を可能とするストレーナ装置を提供することを目的とする。
【０００８】
また本発明は、筒状スクリーン体の汚れ具合を外部から判断可能とする表示を可能とするストレーナ装置を提供することを目的とする。
【課題を解決するための手段】
【０００９】
本発明は、流入口から流出口に至る内部流路の途中に設けた異物除去部に異物を除去する筒状スクリーン体を配置したストレーナ装置に於いて、
筒状スクリーン体に、通過する液流により駆動されて筒状スクリーン体内面を清掃する清掃機構を設けたことを特徴とする。
【００１０】
ここで、清掃機構は、
筒状スクリーン体の内部に回転自在に配置され、ブラシ先端を筒状スクリーン体の内面に摺接したブラシ部材と、
筒状スクリーン体に流入する液流によりブラシ部材を回転させる水車と、
を備えたことを特徴とする。
【００１１】
更に本発明のストレーナ装置は、ブラシ部材の回転軸に連結されて外部から回転を視認させるインジケータを設けたことを特徴とする。
【００１２】
異物除去部のスクリーン着脱口を閉鎖する蓋部材に、筒状スクリーン体で除去されたゴミ等の異物を溜めるゴミ溜り部を設ける。
【００１３】
本発明の別の形態にあっては、流入口から流出口に至る内部流路の途中に設けた異物除去部に異物を除去する筒状スクリーン体を配置したストレーナ装置に於いて、
筒状スクリーン体に、外部操作により駆動されて筒状スクリーン体内面を清掃する清掃機構を設けたことを特徴とする。
【００１４】
ここで、清掃機構は、
筒状スクリーン体の内部に回転自在に配置され、ブラシ先端を筒状スクリーン体の内面に摺接したブラシ部材と、
ブラシ部材を外部からの操作により回転操作部と、
を備える。
【００１５】
回転操作部は、ブラシ部材の回転軸を外部に延在し、軸端に回転ハンドルを着脱するハンドル装着部を形成する。
【発明の効果】
【００１６】
本発明によれば、ストレーナ装置を流体が通過する際に、筒状スクリーン体の流入側に配置した水車の回転により筒状スクリーン体の中でブラシが回転してスクリーン内面を自動的に清掃しており、スクリーンに異物が付着してもブラシ回転により除去されて底部に溜まるようになり、筒状スクリーン体の異物による詰まりを大幅に低減し、清掃点検の周期を長くすることができる。
【００１７】
また筒状スクリーン体の底部に溜まった異物については、スクリーン着脱口を閉鎖しているスクリーンホルダに設けたドレンを空けて排出すれば良く、ストレーナ装置の分解による清掃周期をかなり長くすることが可能となる。
【００１８】
また水車により回転するブラシの回転軸に連結されて外部から回転を視認可能とするインジケータを設けたことで、ストレーナ装置に流体が流れている様子がインジケータの回転表示から確認でき、また筒状スクリーン体の汚れが進むと流体の流れが悪くなることでインジケータによる回転表示が遅くなり、これによりストレーナ装置の汚れ度合を判断して分解清掃を適切なタイミングで行なうことができる。
【００１９】
また本発明の別の形態にあっては、筒状スクリーン体の中に設けたブラシを外部操作により回転して清掃することができ、ストレーナ装置を分解する必要がないことから、設備を停止することなく筒状スクリーン体の清掃ができ、分解清掃を必要とする期間を大幅に長くすることができる。
【００２０】
またブラシを回転する外部操作は、清掃時にスクリーンホルダから外部に取り出しているブラシ回転軸の軸端にハンドルを装着して回転すれば良く、ストレーナ装置側に操作ハンドルを設けておく必要がないことから、簡単な構成で外部からのブラシ回転による清掃ができる。
【図面の簡単な説明】
【００２１】
【図１】本発明によるストレーナ装置の実施形態を示した断面図
【図２】図１の筒状スクリーン体を取り出して示した説明図
【図３】スクリーンホルダにゴミ溜り部を設けた本発明によるストレーナ装置の他の実施形態を示した断面図
【図４】インジケータを設けた本発明によるストレーナ装置の他の実施形態を示した断面図
【図５】図４の筒状スクリーン体を取り出して示した説明図
【図６】外部操作によりブラシを回転する本発明によるストレーナ装置の他の実施形態を示した断面図
【図７】図６の筒状スクリーン体を取り出して示した説明図
【発明を実施するための形態】
【００２２】
図１は本発明によるストレーナ装置の実施形態を示した断面図であり、Ｙ型ストレーナ装置を例にとっている。図１において、ストレーナ装置１０はストレーナ本体１２の一端に流入口１４を形成すると共に相対する他端に流出口１６を形成し、その間に異物除去部１８を形成している。
【００２３】
異物除去部１８の流入側には隔壁１５が形成され、隔壁１５に形成したスクリーン装着穴１７に筒状スクリーン２０の先端をＯリングによるシールを通して挿入し、流入口１４から流入した流体を筒状ストレーナ２０の中を通して流出口１６に流すようにしている。
【００２４】
本実施形態において筒状スクリーン体２０はステンレス製の筒体の周囲に多数の通水穴を形成した構造としている。なお、筒状スクリーン体としては円筒枠の周囲に網を配置した構造であっても良い。
【００２５】
筒状スクリーン体２０はスクリーンホルダ２２の内側にビス２１により固定されている。スクリーンホルダ２２は、異物除去部１８の先端の取付フランジ部１８ａに開口したスクリーン着脱口２５に筒状スクリーン体２０を挿入した状態でシートパッキン２６を介してボルト２４により固定される。またスクリーンホルダ２２にはドレン穴２８が形成され、シートパッキンを介してドレンボルト３０のねじ込みで閉鎖されている。
【００２６】
筒状スクリーン体２０の流入側には駆動軸に支持されて水車３２が設けられ、水車３２は筒状スクリーン体２０に流入する流体により回転され、後の説明で明らかにする筒状スクリーン体２０の中に設けているブラシを回転させる。
【００２７】
図２は図１の筒状スクリーン体を取り出して示した説明図であり、図２（Ａ）に水車側の平面を、図２（Ｂ）に縦断面を、図２（Ｃ）に図２（Ｂ）のＸ−Ｘ断面を示している。
【００２８】
図２において、筒状スクリーン体２０はステンレスなどで作られた筒体の周囲に多数の通水穴２０ａを形成しており、底部側に取付フランジ２０ｂを形成し、取付フランジ２０ｂにはビス穴２０ｃが形成されている。
【００２９】
筒状スクリーン体２０の上下中心位置には軸受部４０，４４が軸受支持部４２，４５により配置し、水車３２を先端に固定した駆動軸３４を回転自在に支持している。駆動軸３４にはブラシ軸３６が連結され、ブラシ軸３６にはスパイラル状にブラシ３８が植設され、筒状スクリーン体２０の内周面にブラシ３８の先端を摺接させている。
【００３０】
このような水車３２により回転されるブラシ３８によって筒状スクリーン体２０に対する自動清掃機構が構成される。
【００３１】
次に図１及び図２に示したストレーナ装置の自動清掃機構の動作を説明する。ストレーナ装置１０は適宜の流体を取り扱う設備の配管系に設けられ、流入口１４から入った流体を、筒状スクリーン体２０を通して流出口１６に流すことで、筒状スクリーン体２０により異物を除去する。
【００３２】
このとき筒状スクリーン体２０に流入する流体により水車３２が回転し、駆動軸３４を介してブラシ軸３６が回転し、ブラシ軸３６にスパイラル状に植設しているブラシ３８が筒状スクリーン体２０の内面を擦り、付着している異物を除去して底部側に滞留させる自動清掃が行われる。
【００３３】
筒状スクリーン体２０の底部側に滞留した異物は、ドレンボルト３０を外してドレン穴２８を開くことで、必要に応じて排出できる。この場合、取り扱っている流体が水などの危険性のない媒体である場合は、ドレンボルト３０を外して滞留している異物を直接排出しても良いが、酸性やアルカリ性の流体の場合はドレンボルト３０を外して異物を直接排出することは危険であるため、ドレン穴２８に排水管を接続して排水コックを設け、排水コックを開いて滞留している異物を排出させる。
【００３４】
このような水車３２により回転されるブラシ１８の自動清掃動作により、筒状スクリーン体２０は通水穴に異物が付着しても速やかに除去され、長期間に渡って筒状スクリーン体２０を清浄な状態に維持し、スクリーンホルダ２２を外して行う筒状スクリーン体２０及び異物除去部１８の分解清掃の間隔を大幅に伸ばすことができる。
【００３５】
図３はスクリーンホルダにゴミ溜り部を設けた本発明によるストレーナ装置の他の実施形態を示した断面図である。図３において、ストレーナ装置１０の構造は基本的に図１の実施形態と同じであるが、異物除去部１８に設けたスクリーン着脱口２５を閉鎖するスクリーンホルダ２２の内側にゴミ溜り部２７を設けたことを特徴とする。
【００３６】
適宜の流体を取り扱う設備の配管系に設けられたストレーナ装置１０は、流入口１４から入った流体を、筒状スクリーン体２０を通して流出口１６に流すことで、筒状スクリーン体２０により異物を除去する。このとき筒状スクリーン体２０の内部に残って滞留しているゴミは下部に位置するスクリーンホルダ２２のゴミ溜り部２７に入り、ストレーナ装置１０を通過する流体の流れを妨げないようにする。またゴミ溜り部２７に溜まった異物はドレンボルト３０を外してドレン穴３０を開くことで簡単に排出でき、スクリーンホルダ２２を外して行う筒状スクリーン体２０及び異物除去部１８の分解清掃の間隔を更に伸ばすことができる。
【００３７】
図４は本発明によるストレーナ装置の他の実施形態を示した断面図であり、筒状スクリーン体を自動清掃するブラシ回転を外部から視認可能とするインジケータを設けたことを特徴とし、図４（Ａ）に断面を、図４（Ｃ）にスクリーンホルダ側の底面を示し、更に、図４に筒状スクリーン体を取り出して示している。
【００３８】
図４において、スクリーン本体１２の異物除去部１８にはスクリーンホルダ２２により流入側に水車３２を設けた筒状スクリーン体２０が配置され、筒状スクリーン体２０の内部には図４に取出して示すように、ブラシ３８が水車３２により回転自在に設けられて自動清掃機構を構成しており、この点は図１及び図２に示した実施形態と同じである。
【００３９】
これに加え図４の実施形態にあっては、スクリーンホルダ２２の外側にインジケータ４６を設け、水車３２によるブラシ３８の回転の様子を外部から視認可能としている。
【００４０】
インジケータ４６は、スクリーンホルダ２２の外側にカバー４８を装着し、カバー４８内に、図５に示すように、ブラシ軸３２から延在した回転軸５０を延在し、回転軸５０の先端に取付ネジ５６により回転表示部材５２を固定している。回転表示部材５２は図４（Ｂ）のように例えば矢印形状の指針であり、止め輪５３により固定した透明カバー５４を介して外部から見えるようにしている。なお、回転表示部材５２は指針形状以外に、複数色を分割配置した回転板とし、回転による混合色を表示するものでも良い。
【００４１】
次に図４及び図５に示したストレーナ装置の回転表示動作を説明する。ストレーナ装置１０の流入口１４から入った流体は筒状スクリーン体２０を通して流出口１６に流れ、流入する流体により水車３２が回転し、駆動軸３４を介してブラシ軸３６を回転し、ブラシ軸３６にスパイラル状に植設しているブラシ３８が筒状スクリーン体２０の内面を擦り、付着している異物を除去して底部側に滞留させる自動清掃が行われる。
【００４２】
同時にブラシ軸３６の回転はインジケータ４６の回転軸５０に伝達され、回転軸５０の軸端に固定している回転表示部材５２が回転し、ブラシ回転の様子を外部から見ることができる。
【００４３】
インジケータ４６に設けた回転表示部材５２の回転は、筒状スクリーン体２０に異物が付着し、ブラシ回転では取りきれずに詰まり度合いが大きくなると、流体の流れが悪くなることでブラシ回転が遅くなり、回転表示部材５２の回転も遅くなる。このため回転表示部材５２の回転が遅くなっている場合には筒状スクリーン体２０の詰まり具合が推定でき、適切な時期にストレーナ装置１０の分解清掃を行うことができる。
【００４４】
図６は本発明によるストレーナ装置の他の実施形態を示した断面図であり、ブラシ回転を外部から回転操作して筒状スクリーン体を手動で清掃するようにしたことを特徴とし、図６に断面を示し、更に、図７に筒状スクリーン体を取り出して示している。
【００４５】
図６において、ストレーナ装置１０はスクリーン本体１２の異物除去部１８の中にスクリーンホルダ２２により配置された筒状スクリーン体２０を配置しており、筒状スクリーン体２０の内部には図７に取出し示すように、ブラシ３８が回転自在に設けられており、この点は図１及び図２に示した実施形態から水車３２を取り除いた構成と同じになる。
【００４６】
更に本実施形態にあっては、スクリーンホルダ２２を通してブラシ軸３６を延在した回転操作軸６０を、Ｏリングなどのシールを介して外部に取り出しており、回転操作軸６０の先端は矩形軸部６２とし、ここに着脱自在な操作ハンドル６４の矩形軸穴６６を嵌合装着し、操作ハンドル６４をも回すことで、筒状スクリーン体２０内のブラシ３８を回転して清掃する手動清掃機構を構成している。
【００４７】
次に図６及び図７に示したストレーナ装置の回転表示動作を説明する。ストレーナ装置１０の流入口１４から入った流体は筒状スクリーン体２０を通して流出口１６に流れ、異物は筒状スクリーン体２０で除去され、その一部はスクリーン内面に付着している。
【００４８】
筒状スクリーン体２０を清掃する際には、図６に示すように、スクリーンホルダ２２から外部に出ている回転操作軸６０の先端の矩形軸部６２に作業者が携帯している操作ハンドル６４の矩形嵌合穴６６を嵌め入れ、操作ハンドル６４を回すことでブラシ６４を回転し、筒状スクリーン体２０の内側に付着している異物をブラシ３８の回転で剥離して除去する清掃を行う。
【００４９】
ブラシ回転で除去された異物は筒状スクリーン体２０の底部に滞留することから、手動清掃が済んだ段階でドレンボルト３０を外してドレン穴２８から外部に排出させる。勿論、ドレン穴に排水管を接続している場合には、排水管に設けた排水コックを開いて異物を排出させることになる。
【００５０】
このように本実施形態の手動清掃はストレーナ装置１０を分解する必要はなく、操作ハンドル６４をセットするだけで極めて簡単に行うことができる。図６の実施形態においても図３に示すゴミ溜まり部２７を形成しても良い。
【００５１】
なお、上記の実施形態はＹ型ストーナ装置を例にとるものであったが、バケット型ストレーナ装置など適宜のストレーナ装置を含む。
【００５２】
また、上記の実施形態にあっては、スクリーンホルダとしてボルト固定を示しているが、ネジ込み構造であっても良い。
【００５３】
また、上記実施形態のスクリーンホルダ２２やゴミ溜まり部２７に、内部の筒状スクリーン体２０の汚れ状況やゴミ溜まりの状況を外部から確認できる透明な部材を形成しても良い。
【００５４】
また本発明は、その目的と利点を損なうことのない適宜の変形を含み、更に上記の実施形態に示した数値による限定は受けない。
【符号の説明】
【００５５】
１０：ストレーナ装置
１２：ストレーナ本体
１４：流入口
１６：流出口
１８：異物除去部
２０：筒状スクリーン体
２２：スクリーンホルダ
２５：スクリーン着脱口
２７：ゴミ溜り部
２８：ドレン穴
３０：ドレンボルト
３２：水車
３４：駆動軸
３６：ブラシ軸
３８：ブラシ
４０，４４：軸受部
４２，４５：軸受支持部
４６：インジケータ
４８：カバー
５０：回転軸
５２：回転表示体
５４：透明カバー
５６：止めねじ
６０：回転操作軸
６２：矩形軸部
６４：操作ハンドル
６６：矩形嵌合穴
【図１】
2012148211.tif 000003
【図２】
2012148211.tif 000004
【図３】
2012148211.tif 000005
【図４】
2012148211.tif 000006
【図５】
2012148211.tif 000007
【図６】
2012148211.tif 000008
【図７】
2012148211.tif 000009